(57)【要約】【課題】画像データの管理が容易な撮影装置を提供する。【解決手段】あらかじめ撮影期間を設定して撮影すると、その設定された撮影期間に撮影された画像データが、期間撮影用メインフォルダの下位層に作成された期間撮影用サブフォルダに格納される。設定された撮影期間以外に撮影された画像データは、不定期撮影用メインフォルダの下位層に作成された不定期撮影用サブフォルダに格納される。不定期撮影用サブフォルダには規定枚数の画像データを格納することができ、規定枚数を超えて撮影が行なわれると、不定期撮影用サブフォルダが同一階層に新規作成され、その新規作成された不定期撮影用サブフォルダに画像データが格納される。【選択図】      図３
2005124040.tif 000002
【特許請求の範囲】
【請求項１】
被写体像を撮像手段で撮像し、得られた画像データを記録手段で記録メディアに記録する撮影装置において、
前記記録メディアの記録領域に画像データの格納先となる複数のメインフォルダを作成するメインフォルダ作成手段と、
前記複数のメインフォルダの中から画像データの格納先となるメインフォルダを選択する格納先フォルダ選択手段と、
前記メインフォルダの下位層に画像データを格納するためのサブフォルダを作成するサブフォルダ作成手段と、
前記格納先フォルダ選択手段で選択されたメインフォルダの下位層にサブフォルダが作成されるように前記サブフォルダ作成手段を制御し、作成されたサブフォルダに撮影された画像データが格納されるように前記記録手段を制御するとともに、該サブフォルダに規定数の画像データが格納されると、同一階層にサブフォルダが新規作成されるように前記サブフォルダ作成手段を制御し、新規作成されたサブフォルダに撮影された画像データが格納されるように前記記録手段を制御する制御手段と、
を備えたことを特徴とする撮影装置。
【請求項２】
被写体像を撮像手段で撮像し、得られた画像データを記録手段で記録メディアに記録する撮影装置において、
撮影日時を計測する計時手段と、
撮影期間を設定する撮影期間設定手段と、
前記撮影期間設定手段で撮影期間が設定されると、設定された撮影期間内に撮影された画像データを格納するためのフォルダを前記記録メディアの記録領域に作成するフォルダ作成手段と、
前記撮影期間設定手段で設定された撮影期間と前記計時手段で計測される撮影日時とに基づいて、撮影された画像データの格納先となるフォルダを設定する格納先フォルダ設定手段と、
撮影された画像データが、前記格納先フォルダ設定手段で設定された格納先のフォルダに格納されるように前記記録手段を制御する制御手段と、
を備えたことを特徴とする撮影装置。
【請求項３】
前記撮影期間設定手段は、表示手段にカレンダを表示させ、該カレンダで選択された期間を撮影期間として設定することを特徴とする請求項２に記載の撮影装置。
【請求項４】
前記記録メディアに記録された画像データを再生表示する画像表示手段と、
再生する画像データが格納されたフォルダを選択する再生フォルダ選択手段と、
前記画像表示手段にカレンダを表示させ、前記再生フォルダ選択手段で選択されたフォルダの撮影期間を前記カレンダ上で表示させる表示制御手段と、
前記カレンダ上に表示された撮影期間から再生期間を選択する再生期間選択手段と、
前記再生期間選択手段で選択された再生期間に撮影された画像データを前記画像表示手段に再生表示させる表示制御手段と、
を備えたことを特徴とする請求項２又は３に記載の撮影装置。
【請求項５】
被写体像を撮像手段で撮像し、得られた画像データを記録手段で記録メディアに記録する撮影装置において、
撮影モードを期間撮影モード又は不定期撮影モードに設定するモード設定手段と、
前記期間撮影モードの下で撮影された画像データを格納するための期間撮影用メインフォルダと前記不定期撮影モードの下で撮影された画像データを格納するための不定期撮影用メインフォルダとを前記記録メディアの記録領域に作成するメインフォルダ作成手段と、
前記不定期撮影モードの下、前記不定期撮影用メインフォルダの下位層に画像データを格納するための不定期撮影用サブフォルダを作成する不定期撮影用サブフォルダ作成手段と、
前記不定期撮影モードの下、撮影された画像データが前記不定期撮影用サブフォルダに格納されるように前記記録手段を制御するとともに、該不定期撮影用サブフォルダに規定数の画像データが格納されると、同一階層に不定期撮影用サブフォルダが新規作成されるように前記不定期撮影用サブフォルダ作成手段を制御し、新規作成された不定期撮影用サブフォルダに撮影された画像データが格納されるように前記記録手段を制御する不定期撮影用制御手段と、
前記期間撮影モードの下、撮影日時を計測する計時手段と、
前記期間撮影モードの下、撮影期間を設定する撮影期間設定手段と、
前記期間撮影モードの下、撮影期間設定手段で撮影期間が設定されると、設定された撮影期間内に撮影された画像データを格納するための期間撮影用サブフォルダを前記期間撮影用メインフォルダの下位層に作成する期間撮影用サブフォルダ作成手段と、
前記期間撮影モードの下、前記撮影期間設定手段で設定された撮影期間と前記計時手段で計測される撮影日時とに基づいて、撮影された画像データの格納先となる期間撮影用サブフォルダを設定する格納先フォルダ設定手段と、
前記期間撮影モードの下、撮影された画像データが、前記格納先フォルダ設定手段で設定された格納先のフォルダに格納されるように前記記録手段を制御する期間撮影用制御手段と、
を備えたことを特徴とする撮影装置。
【請求項６】
前記期間撮影モードの下で撮影された画像データを格納するための期間撮影用メインフォルダと前記不定期撮影モードの下で撮影された画像データを格納するための複数の不定期撮影用メインフォルダとを前記記録メディアの記録領域に作成する前記メインフォルダ作成手段と、
前記不定期撮影モードの下、前記複数の不定期撮影用メインフォルダの中から画像データの格納先となる不定期撮影用メインフォルダを選択する格納先フォルダ選択手段と、
前記格納先フォルダ選択手段で選択された不定期撮影用メインフォルダの下位層に不定期撮影用サブフォルダが作成されるように前記不定期撮影用サブフォルダ作成手段を制御し、作成された不定期撮影用サブフォルダに撮影された画像データが格納されるように前記記録手段を制御するとともに、該不定期撮影用サブフォルダに規定数の画像データが格納されると、同一階層に不定期撮影用サブフォルダが新規作成されるように前記不定期撮影用サブフォルダ作成手段を制御し、新規作成された不定期撮影用サブフォルダに撮影された画像データが格納されるように前記記録手段を制御する前記不定期撮影用制御手段と、
を備えたことを特徴とする請求項５に記載の撮影装置。
【発明の詳細な説明】
【技術分野】
【０００１】
本発明は撮影装置に係り、特に撮影した画像データをテーマ別のフォルダに格納して管理する撮影装置に関する。
【背景技術】
【０００２】
一般に電子カメラで撮影された画像データは、メモリカード等の交換可能な記録メディアに記録される。この際、電子カメラは、記録メディアに単一のフォルダを作成し、このフォルダに順次画像データを格納するようにしている。
【０００３】
しかし、このように単一のフォルダに画像データを記録する方式では、後日、画像データの分類・整理が困難になるという問題があった。
【０００４】
そこで、特許文献１（特開２００１−１６９２２２号公報）では、あらかじめ複数のフォルダを用意しておき、ユーザが画像データの記録先となるフォルダを任意に選択できるようにしている。
【０００５】
また、特許文献２（特開２００２−１８２９５７号公報）では、一定枚数の画像データがフォルダに格納されると、フォルダを新規作成し、その新規作成したフォルダに画像データを格納するようにしている。そして、そのフォルダのフォルダ名を“日付１＿日付２”とし、日付１に最初にフォルダに格納された画像データの撮影日時、日付２に最後にフォルダに格納された画像データの撮影日時とすることにより、各フォルダに格納される画像の撮影日時をフォルダ名から認識できるようにしている。
【特許文献１】特開２００１−１６９２２２号公報
【特許文献２】特開２００２−１８２９５７号公報
【発明の開示】
【発明が解決しようとする課題】
【０００６】
しかしながら、上記特許文献１の場合、１つのフォルダに数百枚以上の画像データが格納されてしまう場合があり、後で画像データの検索をするのが困難になるという欠点がある。
【０００７】
一方、特許文献２の場合、一定枚数以上撮影すると、自動的に新規フォルダが作成されるが、旅行などの一連の継続的な撮影では、枚数に限らず複数のフォルダで管理する方がユーザにとって使い勝手がいいという欠点がある。
【０００８】
また、旅行などの画像と通常の画像とが、一緒のフォルダに格納されてしまう場合があり、そのまま再生すると、見づらいものになってしまうという欠点がある。
【０００９】
さらに、子供の成長記録などを目的とした撮影では、撮影した画像データが複数のフォルダにまたがってしまう場合があり、検索がしにくくなるという欠点がある。
【００１０】
本発明は、このような事情に鑑みてなされたもので、画像データの管理が容易な撮影装置を提供することを目的とする。
【課題を解決するための手段】
【００１１】
請求項１に記載の発明は、前記目的を達成するために、被写体像を撮像手段で撮像し、得られた画像データを記録手段で記録メディアに記録する撮影装置において、前記記録メディアの記録領域に画像データの格納先となる複数のメインフォルダを作成するメインフォルダ作成手段と、前記複数のメインフォルダの中から画像データの格納先となるメインフォルダを選択する格納先フォルダ選択手段と、前記メインフォルダの下位層に画像データを格納するためのサブフォルダを作成するサブフォルダ作成手段と、前記格納先フォルダ選択手段で選択されたメインフォルダの下位層にサブフォルダが作成されるように前記サブフォルダ作成手段を制御し、作成されたサブフォルダに撮影された画像データが格納されるように前記記録手段を制御するとともに、該サブフォルダに規定数の画像データが格納されると、同一階層にサブフォルダが新規作成されるように前記サブフォルダ作成手段を制御し、新規作成されたサブフォルダに撮影された画像データが格納されるように前記記録手段を制御する制御手段と、を備えたことを特徴とする撮影装置を提供する。
【００１２】
本発明によれば、記録メディアの記録領域に作成された複数のメインフォルダの中から画像データの格納先となるメインフォルダを選択すると、そのメインフォルダの下位層にサブフォルダが作成される。そして、そのサブフォルダに画像データが格納される。サブフォルダには規定枚数の画像データが格納され、規定枚数以上の画像データが撮影された場合には、そのサブフォルダと同じ階層にサブフォルダが新規作成される。そして、その新規作成されたサブフォルダに撮影された画像データが格納される。
【００１３】
また、請求項２に記載の発明は、前記目的を達成するために、被写体像を撮像手段で撮像し、得られた画像データを記録手段で記録メディアに記録する撮影装置において、撮影日時を計測する計時手段と、撮影期間を設定する撮影期間設定手段と、前記撮影期間設定手段で撮影期間が設定されると、設定された撮影期間内に撮影された画像データを格納するためのフォルダを前記記録メディアの記録領域に作成するフォルダ作成手段と、前記撮影期間設定手段で設定された撮影期間と前記計時手段で計測される撮影日時とに基づいて、撮影された画像データの格納先となるフォルダを設定する格納先フォルダ設定手段と、撮影された画像データが、前記格納先フォルダ設定手段で設定された格納先のフォルダに格納されるように前記記録手段を制御する制御手段と、を備えたことを特徴とする撮影装置を提供する。
【００１４】
本発明によれば、撮影期間設定手段によって撮影期間を設定すると、その撮影期間に撮影された画像データを格納するためのフォルダが作成される。撮影を行なうと、計時手段で計測される撮影日時に基づいて撮影された画像データの格納先が格納先フォルダ設定手段で設定され、その格納先フォルダ設定手段で設定された格納先のフォルダに撮影された画像データが格納される。すなわち、撮影期間設定手段によって設定された撮影期間に撮影された画像であれば、その撮影期間に対応するフォルダに格納される。
【００１５】
また、請求項３に記載の発明は、前記目的を達成するために、前記撮影期間設定手段は、表示手段にカレンダを表示させ、該カレンダで選択された期間を撮影期間として設定することを特徴とする請求項２に記載の撮影装置を提供する。
【００１６】
本発明によれば、撮影期間設定手段にて撮影期間の設定をする際、表示手段にカレンダが表示され、そのカレンダによって撮影期間の設定を行なうことができる。これにより、簡単に撮影期間の設定を行なうことができる。
【００１７】
また、請求項４に記載の発明は、前記目的を達成するために、前記記録メディアに記録された画像データを再生表示する画像表示手段と、再生する画像データが格納されたフォルダを選択する再生フォルダ選択手段と、前記画像表示手段にカレンダを表示させ、前記再生フォルダ選択手段で選択されたフォルダの撮影期間を前記カレンダ上で表示させる表示制御手段と、前記カレンダ上に表示された撮影期間から再生期間を選択する再生期間選択手段と、前記再生期間選択手段で選択された再生期間に撮影された画像データを前記画像表示手段に再生表示させる表示制御手段と、を備えたことを特徴とする請求項２又は３に記載の撮影装置を提供する。
【００１８】
本発明によれば、フォルダを選択することによって、そのフォルダに格納された画像データを画像表示手段に再生表示することができる。この際、フォルダを選択すると、画像表示手段にカレンダが表示され、そのカレンダ上にフォルダの撮影期間が表示される。そして、そのカレンダ上に表示された撮影期間の中から再生期間選択手段によって再生期間を選択すると、選択された再生期間に撮影された画像データを画像表示手段に再生表示される。
【００１９】
また、請求項５に記載の発明は、前記目的を達成するために、被写体像を撮像手段で撮像し、得られた画像データを記録手段で記録メディアに記録する撮影装置において、撮影モードを期間撮影モード又は不定期撮影モードに設定するモード設定手段と、前記期間撮影モードの下で撮影された画像データを格納するための期間撮影用メインフォルダと前記不定期撮影モードの下で撮影された画像データを格納するための不定期撮影用メインフォルダとを前記記録メディアの記録領域に作成するメインフォルダ作成手段と、前記不定期撮影モードの下、前記不定期撮影用メインフォルダの下位層に画像データを格納するための不定期撮影用サブフォルダを作成する不定期撮影用サブフォルダ作成手段と、前記不定期撮影モードの下、撮影された画像データが前記不定期撮影用サブフォルダに格納されるように前記記録手段を制御するとともに、該不定期撮影用サブフォルダに規定数の画像データが格納されると、同一階層に不定期撮影用サブフォルダが新規作成されるように前記不定期撮影用サブフォルダ作成手段を制御し、新規作成された不定期撮影用サブフォルダに撮影された画像データが格納されるように前記記録手段を制御する不定期撮影用制御手段と、前記期間撮影モードの下、撮影日時を計測する計時手段と、前記期間撮影モードの下、撮影期間を設定する撮影期間設定手段と、前記期間撮影モードの下、撮影期間設定手段で撮影期間が設定されると、設定された撮影期間内に撮影された画像データを格納するための期間撮影用サブフォルダを前記期間撮影用メインフォルダの下位層に作成する期間撮影用サブフォルダ作成手段と、前記期間撮影モードの下、前記撮影期間設定手段で設定された撮影期間と前記計時手段で計測される撮影日時とに基づいて、撮影された画像データの格納先となる期間撮影用サブフォルダを設定する格納先フォルダ設定手段と、前記期間撮影モードの下、撮影された画像データが、前記格納先フォルダ設定手段で設定された格納先のフォルダに格納されるように前記記録手段を制御する期間撮影用制御手段と、を備えたことを特徴とする撮影装置を提供する。
【００２０】
本発明によれば、撮影モードとして、撮影期間を指定し、その間に撮影された画像データを所定のフォルダに格納して管理する期間撮影モードと、期間を指定せず、撮影された画像データを所定のフォルダに格納して管理する不定期撮影モードとを備えている。不定期撮影モードの下では、不定期撮影用メインフォルダの下位層に画像データを格納するための不定期撮影用サブフォルダが作成され、その不定期撮影用サブフォルダに撮影された画像データが格納される。不定期撮影用サブフォルダには、規定枚数の画像データを格納することができ、規定枚数を超える撮影が行なわれた場合には、その不定期撮影用サブフォルダと同じ階層に不定期撮影用サブフォルダが新規作成される。そして、その新規作成された不定期撮影用サブフォルダに撮影された画像データが格納される。一方、期間撮影撮影モードの下では、撮影期間設定手段で撮影期間を設定すると、その撮影期間に撮影された画像データを格納するための期間撮影用サブフォルダが期間撮影用メインフォルダの下位層に作成される。そして、撮影を行なうと、計時手段で計測される撮影日時に基づいて撮影された画像データの格納先が、格納先フォルダ設定手段で設定され、その格納先フォルダ設定手段で設定された格納先のフォルダに撮影された画像データが格納される。すなわち、撮影期間設定手段によって設定された撮影期間に撮影された画像であれば、その撮影期間に対応する期間撮影用サブフォルダに格納される。
【００２１】
また、請求項６に記載の発明は、前記目的を達成するために、前記期間撮影モードの下で撮影された画像データを格納するための期間撮影用メインフォルダと前記不定期撮影モードの下で撮影された画像データを格納するための複数の不定期撮影用メインフォルダとを前記記録メディアの記録領域に作成する前記メインフォルダ作成手段と、前記不定期撮影モードの下、前記複数の不定期撮影用メインフォルダの中から画像データの格納先となる不定期撮影用メインフォルダを選択する格納先フォルダ選択手段と、前記格納先フォルダ選択手段で選択された不定期撮影用メインフォルダの下位層に不定期撮影用サブフォルダが作成されるように前記不定期撮影用サブフォルダ作成手段を制御し、作成された不定期撮影用サブフォルダに撮影された画像データが格納されるように前記記録手段を制御するとともに、該不定期撮影用サブフォルダに規定数の画像データが格納されると、同一階層に不定期撮影用サブフォルダが新規作成されるように前記不定期撮影用サブフォルダ作成手段を制御し、新規作成された不定期撮影用サブフォルダに撮影された画像データが格納されるように前記記録手段を制御する前記不定期撮影用制御手段と、を備えたことを特徴とする請求項５に記載の撮影装置を提供する。
【００２２】
本発明によれば、不定期撮影用メインフォルダが複数作成され、その複数の不定期撮影用メインフォルダの中から任意のフォルダを選択して、画像フォルダを格納することができる。
【発明の効果】
【００２３】
本発明によれば、撮影した画像データの管理が容易になる。
【発明を実施するための最良の形態】
【００２４】
以下、添付図面に従って本発明に係る撮影装置を実施するための最良の形態について説明する。
【００２５】
図１、図２は、それぞれ本発明が適用されたデジタルカメラ１０の正面斜視図と背面斜視図である。
【００２６】
カメラボディ１２の正面には、図１に示すように、レンズ１４、ストロボ１６、ファインダ窓１８、セルフタイマランプ２０等が設けられている。また、カメラボディ１２の右側面にはＵＳＢ端子２２、電源端子２４等が設けられており、上面にはレリーズボタン２６、電源ボタン２８等が設けられている。
【００２７】
一方、カメラボディ１２の背面には、図２に示すように、モニタ３０、ファインダ接眼部３２、ストロボボタン３４、マクロボタン３６、ズームレバー３８、表示ボタン４０、ＢＡＣＫボタン４２、メニュー／ＯＫボタン４６、十字ボタン４８、モードスイッチ５０等が設けられている。
【００２８】
なお、図示しないカメラボディの底面には、バッテリ／メディアカバーが開閉自在に設けられている。このバッテリ／メディアカバーを開くと、バッテリを装填するためのバッテリ室及びメディアを装着するためのメディアスロットが設けられている。
【００２９】
レリーズボタン２６は、半押しと全押しとからなる２段ストローク式のスイッチで構成されており、このレリーズボタン２６の半押しでカメラはＡＥ／ＡＦが作動し、全押しで撮影が行なわれる。
【００３０】
モニタ３０は、カラー表示可能な液晶ディスプレイで構成されており、記録済み画像の表示画面として利用されるとともに、ユーザインターフェースの表示画面として利用される。また、撮影時には画角確認用の電子ファインダとしても使用される。表示ボタン４０は、このモニタ３０の表示内容の切り替えを指示するボタンとして機能する。
【００３１】
ストロボボタン３４は、ストロボモードの切り替えを指示するボタンとして機能し、このストロボボタン３４を１回押すごとに撮影中のストロボモードが「オートストロボ」→「赤目軽減ストロボ」→「強制発光ストロボ」→「スローシンクロ」→「ストロボ発光禁止」と切り替えられる。
【００３２】
マクロボタン３６は、マクロ機能のＯＮ／ＯＦＦの切り替えを指示するボタンとして機能し、このマクロボタン３６を１回押すごとに撮影中のマクロ機能のＯＮ／ＯＦＦが切り替えられる。
【００３３】
ズームレバー３８は、撮影時に撮影画像のズーム（テレ／ワイド）を指示するボタンとして機能するとともに、再生時に表示画像のズーム（拡大／縮小）を指示するボタンとして機能する。このズームレバー３８は、上下方向に揺動自在に設けられており、上方向に操作することにより、ズームがテレ側に操作され、下方向に操作することにより、ズームがワイド側に操作される。
【００３４】
メニュー／ＯＫボタン４６は、各モードの通常画面からメニュー画面への遷移を指示するボタン（メニューボタン）として機能するとともに、選択内容の確定、実行を指示するボタン（ＯＫボタン）として機能し、ＢＡＣＫボタン４２は、入力操作のキャンセル等を指示するボタンとして機能する。
【００３５】
十字ボタン４８は、上下左右４方向の指示を入力するボタンとして機能し、メニュー画面などで所望の項目の選択などに使用する。
【００３６】
モードスイッチ５０は、カメラのモードの切り替えを指示するスイッチとして機能し、このモードスイッチ５０をスライド操作することにより、カメラのモードが「撮影モード」か「再生モード」のいずれか一方に切り替えられる。
【００３７】
図３は、図１及び図２に示したデジタルカメラ１０の内部の概略構成を示すブロック図である。
【００３８】
デジタルカメラ１０は、全体の動作を中央処理装置（ＣＰＵ）１１０によって統括制御されている。ＣＰＵ１１０は、操作部１１２（レリーズボタン２６、電源ボタン２８、ストロボボタン３４、マクロボタン３６、ズームレバー３８、表示ボタン４０、ＢＡＣＫボタン４２、メニュー／ＯＫボタン４６、十字ボタン４８、モードスイッチ５０等）からの入力情報に基づき所定のプログラムに従って本カメラシステムを制御する。
【００３９】
バス１１４を介してＣＰＵ１１０と接続されたＲＯＭ１１６には、このＣＰＵ１１０が実行するプログラム及び制御に必要な各種データ等が格納されており、ＥＥＰＲＯＭ１１８には、フォルダの管理情報などのデジタルカメラ１０の動作に関する各種設定情報等が格納されている。なお、メモリ（ＳＤＲＡＭ）１２０は、ＣＰＵ１１０の演算作業用領域として利用されるとともに、画像データや音声データの一時記憶領域として利用され、ＶＲＡＭ１２２は、画像データ専用の一時記憶領域として利用される。
【００４０】
デジタルカメラ１０は、モードスイッチ５０を撮影モードに設定すると撮影が可能になり、カラーＣＣＤ固体撮像素子（以下ＣＣＤと記載）１２４を含む撮像部に電源が供給される。
【００４１】
レンズ１４を通過した光は、絞り１５を介してＣＣＤ１２４の受光面に結像される。ＣＣＤ１２４の受光面には多数のフォトダイオード（受光素子）が二次元的に配列されており、各フォトダイオードに対応して赤（Ｒ）、緑（Ｇ）、青（Ｂ）の原色カラーフィルタが、所定の配列構造（ベイヤー、Ｇストライプなど）で配置されている。また、ＣＣＤ１２４は、各フォトダイオードの電荷蓄積時間（シャッタースピード）を制御する電子シャッタ機能を有しており、ＣＰＵ１１０は、タイミングジェネレータ１２６を介してＣＣＤ１２４の電荷蓄積時間を制御する。
【００４２】
ＣＣＤ１２４の受光面に結像された被写体像は、各フォトダイオードによって入射光量に応じた量の信号電荷に変換される。各フォトダイオードに蓄積された信号電荷は、ＣＰＵ１１０の指令に従いタイミングジェネレータ１２６から与えられる駆動パルスに基づいて信号電荷に応じた電圧信号（画像信号）として順次読み出される。
【００４３】
ＣＣＤ１２４から出力された画像信号は、アナログ処理部（ＣＤＳ／ＡＭＰ）１２８に送られ、ここで画素ごとのＲ、Ｇ、Ｂ信号がサンプリングホールド（相関二重サンプリング処理）されたのち、増幅され、Ａ／Ｄ変換器１３０に加えられる。
【００４４】
Ａ／Ｄ変換器１３０は、アナログ処理部１２８から出力されたアナログのＲ、Ｇ、Ｂ信号をデジタルのＲ、Ｇ、Ｂ信号に変換する。そして、このＡ／Ｄ変換器１３０から出力されたデジタルのＲ、Ｇ、Ｂ信号が画像入力コントローラ１３２を介してメモリ１２０に記憶される。
【００４５】
画像信号処理回路１３４は、メモリ１２０に記憶されたＲ、Ｇ、Ｂ信号をＣＰＵ１１０の指令に従って処理する。すなわち、画像信号処理回路１３４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１０からの指令に従ってメモリ１２０を活用しながら所定の信号処理を行う。この画像信号処理回路１３４に入力されたＲ、Ｇ、Ｂ信号は、画像信号処理回路１３４で輝度信号（Ｙ信号）及び色差信号（Ｃr 、Ｃb 信号）に変換されるとともに、ガンマ補正等の所定の処理が施されたのちＶＲＡＭ１２２に格納される。
【００４６】
撮影画像をモニタ３０に出力する場合は、ＶＲＡＭ１２２から画像データが読み出され、ビデオエンコーダ１３６に送られる。ビデオエンコーダ１３６は、入力された画像データを表示用の所定方式の信号（たとえば、ＮＴＳＣ方式のカラー複合映像信号）に変換してモニタ３０に出力する。これにより、撮影画像がモニタ３０に表示される。ＣＣＤ１２４から画像信号を定期的に取り込み、その画像信号から生成される画像データによってＶＲＡＭ１２２内の画像データを定期的に書き換えて、モニタ３０に出力することにより、撮像中の映像がリアルタイムに表示される。撮影者は、このモニタ３０にリアルタイムに表示される映像（スルー画像）を見ることにより、撮影画角を確認することができる。
【００４７】
レリーズボタン２６が半押しされ、Ｓ１スイッチがオンすると、デジタルカメラ１０はＡＥ及びＡＦ処理を開始する。
【００４８】
まず、画像入力コントローラ１３２を介してＣＣＤ１２４から取り込まれた画像信号がＡＦ検出回路１３８並びにＡＥ／ＡＷＢ検出回路１４０に入力される。
【００４９】
ＡＥ／ＡＷＢ検出回路１４０は、１画面を複数のエリア（例えば、１６×１６）に分割し、分割エリアごとにＲ、Ｇ、Ｂ信号を積算する回路を含み、その積算値をＣＰＵ１１０に提供する。ＣＰＵ１１０は、ＡＥ／ＡＷＢ検出回路１４０から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従いＣＣＤ１２４の電子シャッターと絞り駆動部１４２を制御して適正な露光量を得る。
【００５０】
また、ＡＥ／ＡＷＢ検出回路１４０は、自動ホワイトバランス調整時、分割エリアごとにＲ、Ｇ、Ｂ信号の色別の平均積算値を算出し、その算出結果をＣＰＵ１１０に提供する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００５１】
ＡＦ検出回路１３８は、Ｇ信号の高周波成分のみを通過させるハイパスフィルタ、絶対値化処理部、所定のフォーカスエリア（たとえば、画面中央部）内の信号を切り出すＡＦエリア抽出部及びＡＦエリア内の絶対値データを積算する積算部から構成され、ＡＦ検出回路１３８で求めた積算値のデータはＣＰＵ１１０に通知される。ＣＰＵ１１０は、レンズ駆動部１４４を制御してフォーカスレンズを移動させながら、複数のＡＦ検出ポイントで焦点評価値（ＡＦ評価値）を演算し、評価値が極大となるレンズ位置を合焦位置として決定する。そして、求めた合焦位置にフォーカスレンズを移動させるようにレンズ駆動部１４４を制御する（いわゆるコントラストＡＦ）。
【００５２】
上記のように、レリーズボタン２６が半押しされ、Ｓ１スイッチがオンすると、ＡＥ／ＡＦ処理が行われ、この後、レリーズボタン２６が全押しされ、Ｓ２スイッチがオンすると、記録用の撮影動作がスタートする。Ｓ２オンに応動して取得された画像データが、画像信号処理回路１３４において輝度／色差信号（Ｙ／Ｃ信号）に変換され、ガンマ補正等の所定の処理が施された後、メモリ１２０に格納される。
【００５３】
メモリ１２０に格納された画像データは、圧縮伸張回路１４６によって所定のフォーマット（たとえば、JPEG形式）に従って圧縮された後、メディアコントローラ１４８を介して記録メディア１５０に記録される。この際、画像データは、所定のタグ情報が付された画像ファイルとして、記録メディア１５０の記録領域に作成された所定のフォルダに格納される。なお、この点については、後に詳述する。
【００５４】
モードスイッチ５０により再生モードが選択されると、記録メディア１５０に記録されている画像ファイルが読み出される。この読み出された画像ファイルは、圧縮伸張回路１４６を介して非圧縮のＹＣ信号に伸張され、画像信号処理回路１３４及びビデオエンコーダ１３６を介して表示用の信号に変換された後、モニタ３０に出力される。これにより、撮影された画像データがモニタ３０に再生表示される。
【００５５】
さて、上記のように本実施の形態のデジタルカメラ１０において、撮影された画像データは、所定のフォルダに格納される。格納先となるフォルダは、撮影モードに応じて決定され、以下、この撮影モードに応じた画像データの格納方法について説明する。
【００５６】
本実施の形態のデジタルカメラ１０には、撮影モードとして「不定期撮影モード」と「期間撮影モード」と２つの撮影モードを備えている。
【００５７】
不定期撮影モードは、通常の撮影モードであり、撮影された画像データは、「不定期撮影用メインフォルダ」の下位層に作成された「不定期撮影用サブフォルダ」に格納される。
【００５８】
すなわち、図４に示すように、ルートフォルダの下位層に「不定期撮影用メインフォルダ」が作成され、その「不定期撮影用メインフォルダ」の下位層に作成された「不定期撮影用サブフォルダ」に格納される。この「不定期撮影用サブフォルダ」のフォルダ名には、最初に「不定期撮影用サブフォルダ」に格納された画像データの撮影日時が付与される。たとえば、最初に「不定期撮影用サブフォルダ」に格納された画像データの撮影日時が２００２年１月１日の場合、そのフォルダ名には、‘２００２．０１．０１’という名前が付与される。
【００５９】
また、この「不定期撮影用サブフォルダ」には、格納できる画像データの数が、あらかじめ設定されており、格納された画像データの数が、この数に達すると、更にもう一、「不定期撮影用サブフォルダ」が同一階層に新規作成される。ここでは、格納できる画像データの数（規定数）が、６４に設定されているものとする。したがって、６５枚目の画像データが撮影されると、同一階層に「不定期撮影用サブフォルダ」が新規作成され、その新規作成された「不定期撮影用サブフォルダ」に６５枚目の画像データが格納される。そして、その新規作成された「不定期撮影用サブフォルダ」のフォルダ名には、６５枚目の画像データの撮影日時が付与される。
【００６０】
一方、期間撮影モードは、撮影期間を指定して撮影するモードであり、指定した期間に撮影された画像データが、「期間撮影用メインフォルダ」の下位層に作成された「期間撮影用サブフォルダ」に格納される。
【００６１】
すなわち、図４に示すように、ルートフォルダの下位層に「期間撮影用メインフォルダフォルダ」が作成され、その下位層に作成された「期間撮影用サブフォルダ」に設定した撮影期間に撮影された画像データが格納される。たとえば、撮影期間を２００３年１月１日から２００３年１月１０日に設定した場合、２００３年１月１日から２００３年１月１０日に撮影した画像データが、その撮影期間に対応する「期間撮影用サブフォルダ」に格納される。なお、この「期間撮影用サブフォルダ」には、設定した撮影期間と同じフォルダ名が付与される。たとえば、撮影期間を２００３年１月１日から２００３年１月１０日に設定した場合、‘２００３．０１．０１＿２００３．０１．１０’（‘撮影期間の始期＿撮影期間の終期’）というフォルダ名が付与される。
【００６２】
なお、この「期間撮影用サブフォルダ」には、格納可能な最大数まで画像データが格納され、それを超えて撮影が行なわれると、その「期間撮影用サブフォルダ」の下位層に「追加サブフォルダ」が作成される。そして、その「追加サブフォルダ」にそれ以降に撮影された画像データが格納される。すなわち、たとえば「期間撮影用サブフォルダ」に最大９９９９枚まで画像データが格納可能な場合、１００００枚目の画像データが撮影されると、その「期間撮影用サブフォルダ」の下位層に「追加サブフォルダ」が新規作成され、その新規作成「追加サブフォルダ」に１００００枚目以降の画像データが格納される。
【００６３】
このとき、「追加サブフォルダ」のフォルダ名には、「期間撮影用サブフォルダ」に付与されたフォルダ名に「＿２」を付加したフォルダ名が付与される。たとえば、撮影期間を２００３年１月１日から２００３年１月１０日に設定した「期間撮影用サブフォルダ」（フォルダ名‘２００３．０１．０１＿２００３．０１．１０’）に対して「追加サブフォルダ」を作成した場合、その「追加サブフォルダ」には、‘２００３．０１．０１＿２００３．０１．１０＿２’というフォルダ名が付与される。
【００６４】
なお、この「追加サブフォルダ」にも格納可能な最大数まで画像データが格納され、それを超えて撮影が行なわれると、その「追加サブフォルダ」の下位層に更に「追加サブフォルダ」が作成される。すなわち、順次下位層に「追加サブフォルダ」が作成されてゆく。
【００６５】
このように、本実施の形態のデジタルカメラ１０では、撮影モードとして「不定期撮影モード」と「期間撮影モード」と２つの撮影モードを備えており、撮影モードに応じて撮影された画像データの格納先が決定される。
【００６６】
通常、デジタルカメラ１０は、不定期撮影モードで動作し、指定した撮影期間になると、期間撮影モードに切り替わって期間撮影モードで動作する。そして、指定した撮影期間が終了すると、再び不定期撮影モードに切り替わり、不定期撮影モードで動作する。
【００６７】
撮影期間の設定はメニュー画面で行なわれ、ユーザは、メニュー画面に従って操作部１１２から所定の情報を入力する。
【００６８】
撮影モードの下、メニュー／ＯＫボタン４６を押すと、図５（ａ）に示すように、撮影メニューの画面がモニタ３０に呼び出される。ユーザは、このモニタ３０に表示された撮影メニューのメニュー項目の中から「撮影期間の設定」を選択する。選択は十字ボタン４８で行い、メニュー／ＯＫボタン４６で確定する。なお、図５（ａ）に示す例では、選択した項目が反転表示されるようになっている。
【００６９】
メニューから「撮影期間の設定」の項目を選択すると、モニタ３０の表示が切り替わり、図５（ｂ）に示すように、モニタ３０にカレンダーが表示される。カレンダは１ヶ月単位で表示され、まず、現在の日付の属する月が表示される。そして、カーソルが、現在の日付に該当する日のところで点滅表示される。たとえば、現在の日付が、２００３年１０月１日とすると、２００３年１０月のカレンダがモニタ３０に表示され、１日のところでカーソルが点滅表示される。また、これと同時に「撮影期間の始期を指定してください」というメッセージがカレンダの下に表示される。ユーザは、このメッセージに基づいて撮影期間の始期を指定する。
【００７０】
なお、デジタルカメラ１０は、タイマ１５２を備えており、ＣＰＵ１１０は、このタイマ１５２で計測される現在日時に基づいて、現在の日付の属する月のカレンダをモニタ３０に表示させるとともに、現在の日付に該当する日にちにカーソルを点滅表示させる。
【００７１】
撮影期間の始期の選択は、選択は十字ボタン４８で行い、十字ボタン４８を操作すると、カーソルが移動する。ユーザは、撮影期間の始期とする日付のところにカーソルを移動させ、メニュー／ＯＫボタン４６を押して確定する。
【００７２】
撮影期間の始期が確定すると、図５（ｃ）に示すように、メッセージの表示が切り替わり、「撮影期間の終期を指定してください」というメッセージがカレンダの下に表示される。ユーザは、このメッセージに基づいて撮影期間の終期を指定する。
【００７３】
撮影期間の終期の選択も前記同様にカーソルを十字ボタン４８で動かすことによって行い、メニュー／ＯＫボタン４６で確定する。ここで、カーソルが移動すると、図５（ｃ）に示すように、移動した範囲が反転表示される。同図に示す例では、始期を２００３年１０月４日に指定し、終期を同年同月の１０日に指定した場合を例示しており、４日から１０日までが、撮影期間として選択されたものとして反転表示されている。
【００７４】
撮影期間の終期が確定すると、同図（ｄ）に示すように、モニタ３０の表示が切り替わり、設定した撮影期間とともに、設定した撮影期間を確認するメッセージが表示される。設定した撮影期間は、カレンダ上で反転表示される。ユーザは、この表示に基づき設定した撮影期間を確認する。そして、設定に間違えがなければ、メニュー／ＯＫボタン４６を押し、設定しなおす場合は、ＢＡＣＫボタン４２を押す。
【００７５】
ＢＡＣＫボタン４２が押されると、撮影期間の始期の選択画面に戻り（図５（ｂ）参照）、再び撮影期間の始期の選択が行なわれる。
【００７６】
一方、メニュー／ＯＫボタン４６が押されると撮影期間が設定され、その設定された撮影期間の情報が、ＥＥＰＲＯＭ１１８に記録される。また、その設定された撮影期間に対応するフォルダが記録メディア１５０の記録領域に作成される。すなわち、その設定された撮影期間に撮影された画像データが格納される「期間撮影用サブフォルダ」が「期間撮影用メインフォルダ」の下位層に新規作成される。
【００７７】
そして、その新規作成された「期間撮影用サブフォルダ」を含め「期間撮影用メインフォルダ」に作成されているフォルダのフォルダ構造が、図５（ｅ）に示すように、モニタ３０に表示される。ユーザは、このモニタ３０の表示を見て、現在の「期間撮影用メインフォルダ」の下位層に作成されている「期間撮影用サブフォルダ」を確認する。
【００７８】
確認後、メニュー／ＯＫボタン４６を押すと、モニタ３０の画面が切り替わり、図５（ｆ）に示すように、モニタ３０にスルー画像が表示される。
【００７９】
以上のように、期間撮影モードにおける撮影期間の設定は、モニタ３０の画面を利用して行なわれる。
【００８０】
なお、「期間撮影用メインフォルダ」と「不定期撮影用メインフォルダ」と「不定期撮影用サブフォルダ」は、記録メディア１５０の交換とともに作成される。
【００８１】
次に、撮影された画像データの格納処理の手順を図６に示すフローチャートに従って説明する。
【００８２】
まず、撮影が行なわれると（ステップＳ１０）、ＣＰＵ１１０は、あらかじめ設定された撮影期間での撮影か否かを判定する（ステップＳ１１）。すなわち、タイマ１５２で計測される日時情報に基づいて撮影された画像データの撮影日時を求め、あらかじめ設定した撮影期間内での撮影か否かをＥＥＰＲＯＭ１１８に記録された撮影期間の情報に基づいて判定する。
【００８３】
そして、撮影期間内での撮影と判定した場合には、「期間撮影モード」での撮影と判断し、対応する撮影期間の「期間撮影用サブフォルダ」に撮影した画像データを格納させる。
【００８４】
ここで、まず、ＣＰＵ１１０は、格納先となる「期間撮影用サブフォルダ」内の画像ファイルの数を検出し、その数が「期間撮影用サブフォルダ」に格納可能な最大数である９９９９枚に達しているか否かを判定する（ステップＳ１２）。
【００８５】
そして、「期間撮影用サブフォルダ」内の画像データの数が、格納可能な最大数（９９９９枚）まで格納されていないと判定した場合には、そのまま、撮影した画像データを該当する撮影期間の「期間撮影用サブフォルダ」に格納させる。
【００８６】
一方、格納先の「期間撮影用サブフォルダ」に記録可能な最大数まで画像データが格納されている場合には、その「期間撮影用サブフォルダ」の下位層に「追加サブフォルダ」を作成し（ステップＳ１３）、その「追加サブフォルダ」に撮影した画像データを格納させる（ステップＳ１４）。
【００８７】
このように、撮影期間内での撮影の場合には、撮影した画像データは、その撮影期間に対応して作成された「期間撮影用サブフォルダ」に格納される。
【００８８】
一方、ステップ１１で撮影期間内での撮影でないと判定した場合には、「不定期撮影モード」での撮影と判断し、「不定期撮影用サブフォルダ」に撮影した画像データを格納させる。
【００８９】
ここで、まず、ＣＰＵ１１０は、格納先となる「不定期撮影用サブフォルダ」内の画像ファイルの数を検出し、その数が「期間撮影用サブフォルダ」に格納可能な最大数である６４枚に達しているか否かを判定する（ステップＳ１５）。
【００９０】
そして、「不定期撮影用サブフォルダ」内の画像データの数が、格納可能な最大数（６４枚）まで格納されていないと判定した場合（「不定期撮影用サブフォルダ」内に格納されている画像データの数が６４枚未満の場合）には、そのまま「不定期撮影用サブフォルダ」に格納させる。
【００９１】
一方、格納先の「不定期撮影用サブフォルダ」に記録可能な最大数（６４枚）まで画像データが格納されている場合（「不定期撮影用サブフォルダ」内に格納されている画像データの数が６４枚の場合）には、同一階層に「不定期撮影用サブフォルダ」を新規に作成し（ステップＳ１６）、その新規作成した「不定期撮影用サブフォルダ」に撮影した画像データを格納させる（ステップＳ１７）。
【００９２】
このように、撮影期間内での撮影でない場合には、撮影した画像データは、「不定期撮影用サブフォルダ」に格納される。
【００９３】
以上説明したように、本実施の形態のデジタルカメラ１０では、撮影期間を指定して撮影すると、その撮影期間に撮影された画像データが、自動的に規定のフォルダ（期間撮影用サブフォルダ）に格納される。また、指定した撮影期間以外の期間に撮影された画像データは、不定期での画像データとして、自動的に規定のフォルダ（不定期撮影用サブフォルダ）に格納される。この際、フォルダには、あらかじめ設定された枚数までの画像データが格納され、その枚数を超えて撮影されると、新規に作成されたフォルダに画像データが自動的に格納される。
【００９４】
このように、本実施の形態のデジタルカメラ１０によれば、撮影目的に応じて撮影した画像データの格納先が自動的に振り分けられるため、撮影後の管理が容易になる。
【００９５】
なお、本実施の形態のデジタルカメラ１０では、「不定期撮影用サブフォルダ」に格納できる画像データの数を６４としているが、この数に限定されるものではない。
【００９６】
また、この「不定期撮影用サブフォルダ」に格納できる画像データの数をユーザが自由に設定できるようにしてもよい。この場合、設定は、たとえばメニュー画面で行なう。
【００９７】
次に、上記のように撮影された画像データを本実施の形態のデジタルカメラ１０で再生する場合について説明する。
【００９８】
なお、期間撮影モードで撮影された画像を再生する場合と不定期撮影モードで撮影された画像を再生する場合とで再生処理の手順が異なるので、各撮影モードごとに分けて説明する。
【００９９】
まず、期間撮影モードで撮影された画像データを再生する場合の処理手順について説明する。
【０１００】
モードスイッチ５０によって再生モードに設定すると、図７（ａ）に示すように、モニタ３０にフォルダの選択画面が表示される。すなわち、「期間撮影用メインフォルダ」と「不定期撮影用メインフォルダ」の選択画面が表示される。
【０１０１】
ユーザは、この表示に基づき再生を希望するメインフォルダを選択する。すなわち、期間撮影モードで撮影された画像データを再生する場合は、「期間撮影用メインフォルダ」を選択し、不定期撮影モードで撮影された画像データを再生する場合は、「不定期撮影用メインフォルダ」を選択する。ここでは、期間撮影モードで撮影された画像データを再生するので、「期間撮影用メインフォルダ」を選択する。選択は十字ボタン４８で行い、メニュー／ＯＫボタン４６で確定する。
【０１０２】
「期間撮影用メインフォルダ」が選択されると、モニタ３０の表示が切り替わり、図７（ｂ）に示すように、「期間撮影用メインフォルダ」の下位層に作成されている「期間撮影用サブフォルダ」の選択画面が表示される。ユーザは、この表示に基づき再生を希望する「期間撮影用サブフォルダ」を選択する。ここでは、撮影期間が２００３年１０月１日から２００３年１０月１０日に設定された「期間撮影用サブフォルダ」（フォルダ名‘２００３．１０．０１＿２００３．１０．１０’）に格納された画像データを再生するものとして、当該期間撮影用フォルダを選択する。選択は、前記同様に十字ボタン４８で行い、メニュー／ＯＫボタン４６で確定する。
【０１０３】
「期間撮影用サブフォルダ」が選択されると、モニタ３０の表示が切り替わり、図７（ｃ）に示すように、カレンダが表示される。そして、そのカレンダ上に選択された「期間撮影用サブフォルダ」の撮影期間が表示される。すなわち、その「期間撮影用サブフォルダ」に設定された撮影期間に該当する日付の部分が反転して表示される。
【０１０４】
ここでは、撮影期間が２００３年１０月１日から２００３年１０月１０日に設定されているので、２００３年の１０月のカレンダが表示され、１日から１０日までが反転して表示される。
【０１０５】
また、このカレンダの表示とともに、再生開始日の選択を促すメッセージ（「再生を開始する日を選択して下さい」）が表示される。ユーザは、このメッセージに基づいてカレンダ上で再生を開始する日を選択する。選択は、カレンダ上に表示されたカーソルを十字ボタン４８で移動させることにより行なわれ、メニュー／ＯＫボタン４６を押すことにより確定される。なお、カーソルは、カレンダが表示された際、撮影期間の初日のところで点滅表示されているものとする（本例の場合、１日のところで点滅表示される）。
【０１０６】
なお、撮影期間が複数月にまたがって設定されている場合は、撮影期間の初日の属する月のカレンダが表示されるものとする。
【０１０７】
ユーザが、再生開始日を選択すると、モニタ３０の表示が切り替わり、図７（ｄ）に示すように、選択された再生開始日の確認画面が表示される。ユーザは、この表示に基づいて選択した再生開始日を確認し、間違いがなければメニュー／ＯＫボタン４６を押す。また、選択し直す場合はＢＡＣＫボタン４２を押す。ＢＡＣＫボタン４２が押された場合は、図７（ｃ）に示すように、再生開始日の選択画面が再び表示される。
【０１０８】
メニュー／ＯＫボタン４６が押されると、図７（ｅ）に示すように、選択された「期間撮影用サブフォルダ」に格納されている画像データの再生が開始される。この際、一番最初に再生表示される画像データは、選択された再生開始日に一番最初に撮影された画像データがモニタ３０に再生表示される。すなわち、ＣＰＵ１１０は、各画像ファイルのヘッダ部分に記録されている情報（たとえばＥｘｉｆタグ情報）を読み出して各画像ファイルの撮影日時を特定し、選択された再生開始日に一番最初に撮影された画像データをモニタ３０に再生表示させる。
【０１０９】
この後、十字ボタン４８の右キーが押されると、再生開始日に次に撮影された画像データが呼び出され、モニタ３０に再生表示される。以後、十字ボタン４８の右キーが押されるたびに、再生開始日から順に画像データが順コマ送りされ、十字ボタン４８の左キーが押されるたびに、逆コマ送りされる。
【０１１０】
なお、再生開始日に撮影された画像データから順に一定間隔で画像データを自動再生するようにしてもよい。
【０１１１】
このように、期間撮影モードで撮影された画像データを再生表示する場合は、再生表示する「期間撮影用サブフォルダ」を指定し、再生開始日を指定して再生させることができる。
【０１１２】
次に、不定期撮影モードで撮影された画像データを再生する場合の処理手順について説明する。
【０１１３】
前記同様、モードスイッチ５０によって再生モードに設定すると、図８（ａ）に示すように、モニタ３０にフォルダの選択画面が表示されるので、「不定期撮影用メインフォルダ」を選択する。
【０１１４】
「不定期撮影用メインフォルダ」が選択されると、モニタ３０の表示が切り替わり、図８（ｂ）に示すように、「不定期撮影用メインフォルダ」の下位層に作成されている「不定期撮影用サブフォルダ」の選択画面が表示される。ユーザは、この表示に基づき再生を希望する「不定期撮影用サブフォルダ」を選択する。ここでは、２００３年７月２４日に作成された「不定期撮影用サブフォルダ」（フォルダ名‘２００３．０７．２４’）に格納された画像データを再生するものとして、当該不定期撮影用フォルダを選択する。選択は、前記同様に十字ボタン４８で行い、メニュー／ＯＫボタン４６で確定する。
【０１１５】
「不定期撮影用サブフォルダ」が選択されると、モニタ３０の表示が切り替わり、図８（ｃ）に示すように、再生開始月の選択を画面が表示される。ユーザは、この表示に基づいて再生を開始する月を選択する。選択は十字ボタン４８で行なわれ、メニュー／ＯＫボタン４６で確定する。
【０１１６】
なお、当該画面は、選択した「不定期撮影用サブフォルダ」に格納された画像データが複数月にまたがって格納されている場合のみ表示される。
【０１１７】
また、選択した「不定期撮影用サブフォルダ」に格納された画像データが複数年にまたがって格納されている場合には、再生を開始する年の選択画面が表示される。
【０１１８】
ユーザが、再生開始月を選択すると、モニタ３０の表示が切り替わり、図８（ｄ）に示すように、選択された再生開始月の確認画面が表示される。ユーザは、この表示に基づいて選択した再生開始月を確認し、間違いがなければメニュー／ＯＫボタン４６を押す。また、選択し直す場合はＢＡＣＫボタン４２を押す。ＢＡＣＫボタン４２が押された場合は、図８（ｃ）に示すように、再生開始月の選択画面が再び表示される。
【０１１９】
メニュー／ＯＫボタン４６が押されると、図８（ｅ）に示すように、選択された「不定期撮影用サブフォルダ」に格納されている画像データの再生が開始される。この際、一番最初に再生表示される画像データは、選択された再生開始月に一番最初に撮影された画像データがモニタ３０に再生表示される。すなわち、ＣＰＵ１１０は、各画像ファイルのヘッダ部分に記録されている情報（たとえばＥｘｉｆタグ情報）を読み出して各画像ファイルの撮影日時を特定し、選択された再生開始月に一番最初に撮影された画像データをモニタ３０に再生表示させる。
【０１２０】
この後、十字ボタン４８の右キーが押されると、再生開始月に次に撮影された画像データが呼び出され、モニタ３０に再生表示される。以後、十字ボタン４８の右キーが押されるたびに、再生開始月から順に画像データが順コマ送りされ、十字ボタン４８の左キーが押されるたびに、逆コマ送りされる。
【０１２１】
なお、前記同様に再生開始月に撮影された画像データから順に一定間隔で画像データを自動再生するようにしてもよい。
【０１２２】
このように、不定期撮影モードで撮影された画像データを再生表示する場合は、再生表示する「不定期撮影用サブフォルダ」を指定し、再生開始月（又は再生開始年）を指定して再生させることができる。
【０１２３】
以上説明したように、本実施の形態のデジタルカメラ１０では、フォルダ単位で画像データの再生を行なうことができ、また、再生を開始する日、月、年を選択することができる。これにより、画像データの管理、確認が容易になる。
【０１２４】
次に、本発明に係る撮影装置の第２の実施の形態について説明する。
【０１２５】
上記実施の形態では、不定期撮影モードで撮影した画像データを単一の不定期撮影用メインフォルダに格納するようにしているが、本実施の形態では、不定期撮影用メインフォルダを複数用意し、ユーザが画像データの格納先となる不定期撮影用メインフォルダを選択できるようにしている。
【０１２６】
すなわち、図９に示すように、ルートフォルダの下位層に不定期撮影用フォルダとして複数のフォルダ（たとえば、「子供フォルダ」、「イベントフォルダ」、「風景写真フォルダ」、「作品フォルダ」）が作成され、ユーザが画像データの格納先となる不定期撮影用メインフォルダを選択できるようになっている。
【０１２７】
以下、この画像データの格納先となる不定期撮影用メインフォルダの選択処理の手順について説明する。
【０１２８】
撮影モードの下、メニュー／ＯＫボタン４６を押すと、図１０（ａ）に示すように、撮影メニューの画面がモニタ３０に呼び出される。ユーザは、このモニタ３０に表示された撮影メニューのメニュー項目の中から「フォルダの選択」を選択する。選択は十字ボタン４８で行い、メニュー／ＯＫボタン４６で確定する。
【０１２９】
メニューから「フォルダの選択」の項目を選択すると、モニタ３０の表示が切り替わり、図１０（ｂ）に示すように、ルートフォルダの下位層に作成されている「不定期撮影用メインフォルダ」が一覧表示される。また、これと同時にフォルダの選択を促すメッセージ（「フォルダを選択して下さい」）が表示される。ユーザは、このメッセージに従って画像データの格納先となるフォルダを選択する。選択は、前記同様に十字ボタン４８で行い、メニュー／ＯＫボタン４６で確定する。
【０１３０】
以上により、フォルダの選択処理が完了し、図１０（ｃ）に示すように、モニタ３０の表示がスルー画像に切り替わる。
【０１３１】
以後、ＣＰＵ１１０は、選択された不定期撮影用メインフォルダに撮影された画像データが格納されるように記録制御する。
【０１３２】
なお、一度「不定期撮影用メインフォルダ」の選択が行なわれると、再度選択し直されるまで同じ「不定期撮影用メインフォルダ」に画像データが格納される。
【０１３３】
また、ユーザが「不定期撮影用メインフォルダ」の選択を行なわなかった場合は、デフォルトの「不定期撮影用メインフォルダ」、たとえば「作品フォルダ」に撮影された画像データが格納される。
【０１３４】
このように、複数の不定期撮影用メインフォルダを用意し、ユーザが画像データの格納先となるフォルダを自由に選択できるようにすることにより、更に画像データの管理が容易になる。
【０１３５】
なお、不定期撮影用メインフォルダは、あらかじめ複数個用意しておいてもよいが、ユーザが任意に作成できるようにすることが好ましい。以下、この不定期撮影用メインフォルダの作成処理の手順について説明する。
【０１３６】
撮影モードの下、メニュー／ＯＫボタン４６を押すと、図１１（ａ）に示すように、撮影メニューの画面がモニタ３０に呼び出される。ユーザは、このモニタ３０に表示された撮影メニューのメニュー項目の中から「フォルダの作成」を選択する。
【０１３７】
メニューから「フォルダの作成」の項目を選択すると、モニタ３０の表示が切り替わり、図１１（ｂ）に示すように、新規作成する不定期撮影用メインフォルダのフォルダ名の入力画面が表示される。ユーザは、このモニタ３０の画面の指示に従って新規作成する不定期撮影用メインフォルダのフォルダ名を入力する。図１１（ｂ）に示す例では、十字ボタン４８の上下キーを押すと、カタカナの文字が５０音順にスクロールして１文字ずつフォルダ名を入力できるようにされている。
【０１３８】
フォルダ名の入力が完了すると、モニタ３０の表示が切り替わり、モニタ３０に新規作成した不定期撮影用メインフォルダのフォルダ名が表示される。そして、そのフォルダ名の表示とともに、表示されたフォルダ名の不定期撮影用メインフォルダを作成するか否かを問うメッセージ（「このフォルダを作成しますか」）が表示される。ユーザは、このメッセージに従ってフォルダを作成する場合はメニュー／ＯＫボタン４６を押し、止める場合は、ＢＡＣＫボタン４２を押す。
【０１３９】
メニュー／ＯＫボタン４６が押されたことを検出すると、ＣＰＵ１１０は、ルートフォルダの下位層に不定期撮影用メインフォルダを新規に作成させ、そのフォルダのフォルダ名を入力されたフォルダ名で登録する。
【０１４０】
以上一連の操作により、ユーザによる不定期撮影用メインフォルダの作成処理が完了する。
【０１４１】
このように、ユーザが任意に不定期撮影用メインフォルダを作成できるようにすることにより、撮影した画像データの管理が更に容易になる。
【０１４２】
なお、各不定期撮影用メインフォルダの下位層に作成される不定期撮影用サブフォルダに格納可能な画像データの数については、一律に同じ数に設定してもよいが、各不定期撮影用メインフォルダごとに個別に設定できるようにしてもよい。また、一律に同じ数に設定する場合もユーザが任意にその数を設定できるようにすることが好ましい。
【０１４３】
次に、本発明に係る撮影装置の第３の実施の形態について説明する。
【０１４４】
上記第１の実施の形態では、撮影期間を設定しておくと、撮影モードが自動的に切り替わるように設定されているが、本実施の形態では、撮影モードをユーザが手動で切り替えるように設定されている。すなわち、撮影前にユーザが、撮影モードの設定を行い、その設定された撮影モードの下で撮影された画像データの格納処理が行なわれる。
【０１４５】
以下、この第３の実施の形態のデジタルカメラにおける画像データの格納処理の手順を図１２に示すフローチャートに従って説明する。
【０１４６】
まず、撮影モードの選択が行なわれる（ステップＳ２０）。撮影モードの選択は、メニュー画面で行なわれる。
【０１４７】
カメラのモードを撮影モードに設定した状態でメニュー／ＯＫボタン４６を押すと、図１３（ａ）に示すように、モニタ３０に撮影メニューの画面が呼び出される。その撮影メニューの中から「撮影モードの切り替え」の項目を選択すると、図１３（ｂ）に示すように、撮影モードの選択画面が表示される。ユーザは、このモニタ３０の画面表示に基づいて撮影モードの選択を行なう。選択は十字ボタン４８で行い、メニュー／ＯＫボタン４６で確定する。
【０１４８】
ここで、「不定期撮影モード」が選択されると、モニタ３０の表示が切り替わり、図１３（ｃ）に示すように、「不定期撮影用サブフォルダ」の選択画面が表示される。ユーザは、このモニタ３０の画面表示に基づいて不定期撮影モードで撮影した画像データの格納先となる「不定期撮影用サブフォルダ」を選択する。選択は十字ボタン４８で行い、メニュー／ＯＫボタン４６で確定する。
【０１４９】
以上のようにして、撮影モードが選択されたのち、撮影が行なわれる（ステップＳ２１）。
【０１５０】
撮影が行なわれると、ＣＰＵ１１０は、撮影モードが「不定期撮影モード」と「期間撮影モード」のいずれのモードに設定されているかを判定する（ステップＳ２２）。
【０１５１】
ここで、撮影モードが「不定期撮影モード」に設定されている場合は、撮影された画像データを選択された「不定期撮影用サブフォルダ」に格納する（ステップＳ２３）。
【０１５２】
一方、撮影モードが「期間撮影モード」に設定されている場合は、あらかじめ設定された撮影期間内での撮影か否かを判定する（ステップＳ２４）。
【０１５３】
設定された撮影期間内の撮影でない場合は、図１４に示すように、期間撮影用メインフォルダに撮影した画像データを格納する（ステップＳ２５）。
【０１５４】
一方、設定された撮影期間内での撮影の場合は、対応する撮影期間の「期間撮影用サブフォルダ」に撮影した画像データを格納させる（ステップＳ２６）。
【０１５５】
このように、本実施の形態では、ユーザが、撮影モードの設定を行い、その設定された撮影モードの下で撮影された画像データの格納処理が行なわれる。
【０１５６】
なお、本例の場合も格納先となる「期間撮影用サブフォルダ」内の画像データの数が格納可能な最大数（９９９９枚）を超えた場合は、その「期間撮影用サブフォルダ」の下位層に「追加サブフォルダ」を作成し、その「追加サブフォルダ」に撮影した画像データを格納させる。「期間撮影用メインフォルダ」に格納する場合も同様である。この場合、「期間撮影用メインフォルダ」の下位層に「追加サブフォルダ」を作成する。
【０１５７】
また、不定期撮影モードにおいて、不定期撮影用サブフォルダに格納される画像データの数が、あらかじめ設定された規定数を超えた場合には、同一階層に「不定期撮影用サブフォルダ」を新規作成し、その新規作成された「不定期撮影用サブフォルダ」に撮影された画像データを格納する。
【０１５８】
なお、本実施の形態では、不定期撮影モードにおいて、撮影された画像データを格納する「不定期撮影用メインフォルダ」を撮影前にあらかじめ決めておき、このあらかじめ決定された「不定期撮影用メインフォルダ」に撮影された画像データを格納するようにしているが、撮影後に格納先となる「不定期撮影用メインフォルダ」を選択し、その撮影後に選択された「不定期撮影用メインフォルダ」に撮影された画像データを格納するようにしてもよい。
【０１５９】
なお、上述した一連の実施の形態では、本発明を静止画の記録・再生が可能なデジタルカメラに適用した場合を例に説明したが、静止画の他に動画の記録・再生が可能なデジタルカメラにも同様に適用することができる。
【０１６０】
また、上述した一連の実施の形態では、本発明をデジタルカメラに適用した場合を例に説明したが、本発明の適用はデジタルカメラに限らず、デジタルビデオカメラやカメラ付き携帯電話機やカメラ付きＰＤＡ、カメラ付きパーソナルコンピュータ等の撮影機能を備えた電子機器（撮影装置）全般に適用することができる。
【図面の簡単な説明】
【０１６１】
【図１】本発明が適用されたデジタルカメラの正面斜視図
【図２】本発明が適用されたデジタルカメラの背面斜視図
【図３】本発明が適用されたデジタルカメラの内部構成を示すブロック図
【図４】記録メディアの記録領域に作成されるフォルダのフォルダ構造を示す図
【図５】撮影期間の設定画面を示す図
【図６】画像データの格納処理の手順を示すフローチャート
【図７】画像再生時の設定画面を示す図
【図８】画像再生時の設定画面を示す図
【図９】フォルダ構造を示す図
【図１０】不定期撮影モードにおける格納先フォルダの設定画面を示す図
【図１１】不定期撮影モードにおけるフォルダの作成画面を示す図
【図１２】第３の実施の形態のデジタルカメラの画像データの格納処理の手順を示すフローチャート
【図１３】撮影モードの設定画面を示す図
【図１４】記録メディアの記録領域に作成されるフォルダのフォルダ構造を示す図
【符号の説明】
【０１６２】
１０…デジタルカメラ、１２…カメラボディ、１４…レンズ、１６…ストロボ、１８…ファインダ窓、２０…セルフタイマランプ、２２…ＵＳＢ端子、２４…電源端子、２６…レリーズボタン、２８…電源ボタン、３０…モニタ、３２…ファインダ接眼部、３４…ストロボボタン、３６…マクロボタン、３８…ズームレバー、４０…表示ボタン、４２…ＢＡＣＫボタン、４６…メニュー／ＯＫボタン、４８…十字ボタン、５０…モードスイッチ、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…カラーＣＣＤ固体撮像素子（ＣＣＤ）、１２６…タイミングジェネレータ、１２８…アナログ処理部（ＣＤＳ／ＡＭＰ）、１３０…Ａ／Ｄ変換器、１３２…画像入力コントローラ、１３４…画像信号処理回路、１３６…ビデオエンコーダ、１３８…ＡＦ検出回路、１４０…ＡＥ／ＡＷＢ検出回路、１４２…絞り駆動部、１４４…レンズ駆動部、１４６…圧縮伸張回路、１４８…メディアコントローラ、１５０…記録メディア、１５２…タイマ
【図１】
2005124040.tif 000003
【図２】
2005124040.tif 000004
【図３】
2005124040.tif 000005
【図４】
2005124040.tif 000006
【図５】
2005124040.tif 000007
【図６】
2005124040.tif 000008
【図７】
2005124040.tif 000009
【図８】
2005124040.tif 000010
【図９】
2005124040.tif 000011
【図１０】
2005124040.tif 000012
【図１１】
2005124040.tif 000013
【図１２】
2005124040.tif 000014
【図１３】
2005124040.tif 000015
【図１４】
2005124040.tif 000016